(57)【特許請求の範囲】
【請求項１】
プリント基板と、
前記プリント基板に印刷配線された接点パターンと、
前記接点パターンの上方に設けられたキーボタンと、
前記キーボタンの下部に設けられた接点部材と、
前記接点部材の上面及び下面に設けられた導電膜と、
前記導電膜に挟まれたゴム片と、
前記導電膜の間を結び、前記ゴム片に埋め込まれた金属線と、を有し、
前記キーボタンが下方に押されることによって、前記金属線と前記導電膜とが前記接点パターンと導通し、
前記接点パターンに異物が付着した場合、前記金属線が前記異物を突き破り、前記金属線と前記接点パターンとが導通することを特徴とするボタンスイッチ。
【請求項２】
前記導電膜はカーボンであることを特徴とする請求項１に記載のボタンスイッチ。
【請求項３】
前記金属線は金線であることを特徴とする請求項１に記載のボタンスイッチ。
【請求項４】
前記ゴム片はシリコンゴムであることを特徴とする請求項１に記載のボタンスイッチ。
【発明の詳細な説明】
【０００１】
【発明の属する技術分野】
本発明は、ボタンスイッチに関し、特にキーボタン接点部として金属細線が複数本埋め込まれその表面に導電膜が付与されたゴム片をボタンスイッチの押し子の下面に設けるようにしたものである。
【０００２】
【従来の技術】
従来のボタンスイッチは、図６に示されるように、キーボタン61と、このキーボタン61の押し子の下面に設けた接点部62と、プリント基板63に印刷配線された接点パターン64とによって構成されていた。そして通常、キーボタン61は図７に示されるように、シリコン系ゴム65などで形成されており、このシリコン系ゴム65からキーボタンの押し子の下面には接点部としてカーボンなどから成る導電膜66が接着されている。
【０００３】
この場合、従来のカーボン接点などを用いた接点部を備えたキーボタンスイッチにおいては、図８に示されるように、プリント基板などの被接点部にごみやほこり、油、または半田のフラックスなど異物が付着していない場合には、キーボタンの押し子を押すことにより正常なスイッチ動作が可能であるが、図９に示されるように、プリント基板などの被接点部にごみやほこり、油、または半田のフラックスなど異物が付着してしまった場合には、接点が導通不良となりスイッチ動作不良となるという問題があった。
【０００４】
本発明は、これらの異物の付着によるスイッチ動作不良を解決し、安定した導通が得られるようにしたボタンスイッチを提供することを目的とする。
【０００５】
【発明が解決しようとする課題】
本発明は、異物の付着によるスイッチ動作不良を解決し、安定した導通が得られるようにしたボタンスイッチを提供することを目的とする。
【０００６】
【課題を解決するための手段】
本発明の請求項１に記載の発明は、プリント基板と、前記プリント基板に印刷配線された接点パターンと、前記接点パターンの上方に設けられたキーボタンと、前記キーボタンの下部に設けられた接点部材と、前記接点部材の上面及び下面に設けられた導電膜と、前記導電膜に挟まれたゴム片と、前記導電膜の間を結び、前記ゴム片に埋め込まれた金属線と、を有し、前記キーボタンが下方に押されることによって、前記金属線と前記導電膜とが前記接点パターンと導通し、前記接点パターンに異物が付着した場合、前記金属線が前記異物を突き破り、前記金属線と前記接点パターンとが導通することを特徴とするボタンスイッチとしたものである。
【０００７】
この構成により、異物の付着によるスイッチ動作不良を解決し、安定した導通を得ることができる。
【００１０】
また、請求項２に記載の発明は、前記導電膜はカーボンであることを特徴とする請求項１に記載のボタンスイッチとしたものである。
【００１１】
この構成により、カーボン導電膜を使用しつつ異物の付着によるスイッチ動作不良を解決し、安定した導通を得ることができる。
【００１２】
また、請求項３に記載の発明は、前記金属線は金線であることを特徴とする請求項１に記載のボタンスイッチとしたものである。
【００１３】
この構成により、良好な導電特性を実現でき、異物の付着によるスイッチ動作不良を解決し、安定した導通を得ることができる。
【００１４】
また、請求項４に記載の発明は、前記ゴム片はシリコンゴムであることを特徴とする請求項１に記載のボタンスイッチとしたものである。
【００１５】
この構成により、成形が容易であり、異物の付着によるスイッチ動作不良を解決し、安定した導通を得ることができる。
【００１６】
【発明の実施の形態】
以下、本発明の実施の形態について、図１から図５を用いて説明する。
【００１７】
図１は、本発明の実施の形態に係るボタンスイッチの構成を示す正面断面図である。
【００１８】
図１において、ボタンスイッチは、キーボタン11と、金属細線が複数本埋め込まれその表面に導電膜が付与されたゴム片をボタンスイッチの押し子の下面に設けたキーボタン接点部12と、プリント基板13に印刷配線された接点パターン14とによって構成されている。
【００１９】
そして、通常、キーボタン11は、シリコン系ゴムなどで形成されるが、本発明は、図２に示されるように、接点部材はシリコン系のゴム片15を挟んで上面、下面に形成された導電膜17、18間を結ぶ金属線16が埋め込まれて形成され、この接点部材12をキーボタンの押し子に接着して構成している。
【００２０】
図３は、プリント基板に印刷配線された導電パターンを示すものであり、導電パターンは互いに入れ子になっている。これは上記した金属配線のどれかと接触し易くするための工夫の結果である。
【００２１】
本発明のボタンスイッチの動作を図４および図５を用いて説明する。すなわち、本発明の接点部を備えたボタンスイッチにおいては、図４に示されるように、プリント基板などの被接点部にごみやほこり、油、または半田のフラックスなど異物が付着していない場合には、キーボタンの押し子を押すことにより正常なスイッチ動作が可能であり、さらに、図５に示されるように、プリント基板などの被接点部にごみやほこり、油、または半田のフラックスなど異物が付着してしまった場合には、接点部に設けた金属細線、たとえば化金線から成る細線、が上記の異物を突き破り、上面の設けた導電膜を通じてスイッチ動作を行なうことができるので、接点が導通不良でスイッチ動作不良となることはなくなる。
【００２２】
このように本発明は、シリコン系のゴムにより構成されたキーボタンと、その接点部を金属細線が複数本埋め込まれその表面に導電膜が付与されたシリコン系のゴム片で構成させているため、プリント基板などの被接点部にごみやほこり、油、または半田のフラックスなど異物が付着してしまった場合に、接点部の金属細線がこれらの異物を突き破り安定した導通を得ることができる。
【００２３】
【発明の効果】
以上で説明したように、本発明は、異物の付着によるスイッチ動作不良を解決し、安定した導通を得ることができる。
【図面の簡単な説明】
【図１】本発明の実施の形態に係るボタンスイッチの構成を示す正面断面図、
【図２】本発明の実施の形態に係るボタンスイッチの押し子に取付けられる接点部材の構成を示す正面断面図、
【図３】本発明の実施の形態に係るプリント基板に印刷配線された導電パターンの例を示す図、
【図４】本発明の実施の形態に係るボタンスイッチの動作例を示す正面断面図、
【図５】本発明の実施の形態に係るボタンスイッチの別の動作例を示す正面断面図、
【図６】従来のボタンスイッチの構成を示す正面断面図、
【図７】従来のボタンスイッチの押し子の下面に取付けられる接点部材の構成を示す正面断面図、
【図８】従来のボタンスイッチの動作例を示す正面断面図、
【図９】従来のボタンスイッチの動作例を示す正面断面図である。
【符号の説明】
11、61  キーボタン
12、62  接点部
13、63  プリント基板
14、64  (導電)パターン裏ケース
15、65  (シリコン系)ゴム
16  金属細線
17  上面導電膜
18  下面導電膜
66  導電膜
【図１】
0004442963.tif 000002
【図２】
0004442963.tif 000003
【図３】
0004442963.tif 000004
【図４】
0004442963.tif 000005
【図５】
0004442963.tif 000006
【図６】
0004442963.tif 000007
【図７】
0004442963.tif 000008
【図８】
0004442963.tif 000009
【図９】
0004442963.tif 000010